(57)【要約】      （修正有）【課題】衣服に留めピンを通すことなくブローチの装着を容易に行え、装着位置の変更や交換あるいは取り付け角度の調整も簡単に行なえるブローチクリップを提供する。【解決手段】裏面側にワニ口レバー１３を備えた細片状の台座金具１１と、台座金具のおもて面側に長手方向の中央部を軸アセンブリ１４によって、台座金具に対して相対回転並びに回転位置を保持可能に取り付けられた細片状のブローチ保持金具１２とを備え、ブローチ保持金具は、長手方向に沿ってブローチ２０の留めピン２１を貫通させる透孔を有し、透孔と一体の内部空洞又は溝に、留めピン２１の挿入に抵抗感を与えるために波状のバネが装着されている。また、台座金具１１とブローチ保持金具１２との互いに接触する面間の軸アセンブリ１４の軸の周囲に、相対回転をクリック止めする機構が設けられている。【選択図】図１
0003196546.tif 000002
【実用新案登録請求の範囲】
【請求項１】
裏面側にワニ口レバーを備えた細片状の台座金具と、該台座金具のおもて面側に長手方向の中央部を軸によって、該台座金具に対して相対回転並びに回転位置を保持可能に取り付けられた細片状のブローチ保持金具とを備え、
該ブローチ保持金は、長手方向に沿ってブローチの留めピンを貫通させる透孔を有することを特徴とするブローチクリップ。
【請求項２】
前記ブローチ保持金具は、長手方向の両端部間の内部に前記透孔と一体の空洞又は溝が形成され、該空洞又は溝内に波状のバネを装着し、貫通される前記留めピンを該バネによって内側壁面に押付けるように構成されていることを特徴とする請求項１に記載のブローチクリップ。
【請求項３】
前記台座金具と前記ブローチ保持金具との互いに接触する面間の前記軸の周囲に、前記相対回転をクリック止めする機構を設けたことを特徴とする請求項１又は２に記載のブローチクリップ。
【考案の詳細な説明】
【技術分野】
【０００１】
この考案は、ブローチを衣服に留めるためのブローチクリップに関する。
【背景技術】
【０００２】
身飾品であるブローチは、一般に全体として扁平状をなし、その表面に装飾が施され、宝玉が配置されたりし、裏面には先端が針状になった留めピンが取り付けられている（例えば、特許文献１参照）。
そして、ブローチを使用する時には、裏面に設けられた留めピンを衣服の所望の位置の布地に刺し、その先端部を布地の表側へ出して、安全ピンのようにその先端部を保護する部材に保持させて、衣服に装着している。
【先行技術文献】
【特許文献】
【０００３】
【特許文献１】特開平１１−２５３２１２号公報
【考案の開示】
【考案が解決しようとする課題】
【０００４】
しかし、このようにして衣服にブローチを装着すると、衣服の布地にブローチの留めピンを通すため、布地に小さな孔を空けてしまうという問題があった。
特に、貸し衣装店で貸与した衣装や高級な衣装に、ブローチが何度も着脱されると、多数のピンの孔によって、その衣装の価値が著しく低下してしまうことになる。
また、衣服へのブローチ装着位置が所望の位置でなかったり、傾いて装着されてしまったりした場合は、留めピンを外して衣服に取り付け直す面倒な作業を繰り返さなければならなかった。
【０００５】
この考案は、上記のような問題を解決するためになされたものであり、衣服に留めピンを通すことなくブローチの装着を容易に行え、装着位置の変更やブローチの交換あるいは取り付け角度の調整も簡単に行なえるようにすることを目的とする。
【課題を解決するための手段】
【０００６】
この考案によるブローチクリップは、上記の目的を達成するため、裏面側にワニ口レバーを備えた細片状の台座金具と、その台座金具のおもて面側に長手方向の中央部を軸によって、その台座金具に対して相対回転並びに回転位置を保持可能に取り付けられた細片状のブローチ保持金具とを備え、そのブローチ保持金は、長手方向に沿ってブローチの留めピンを貫通させる透孔を有する。
【０００７】
上記ブローチ保持金具は、長手方向の両端部間の内部に上記透孔と一体の空洞又は溝が形成され、その空洞又は溝内に波状のバネを装着し、貫通される上記留めピンをそのバネによって内側壁面に押付けるように構成するとよい。
また、上記台座金具とブローチ保持金具との互いに接触する面の上記軸の周囲に、上記相対回転をクリック止めする機構を設けるとよい。
【考案の効果】
【０００８】
この考案によるブローチクリップを使用すれば、ブローチ保持金具の透孔にブローチの留めピンを挿入して貫通させ、その先端部をブローチのピン係止部に係止させれば、そのブローチクリップのワニ口レバーの開閉によって、ブローチを衣服に間単に装着することができる。したがって、衣服の布地に留めピンを通す必要がなくなるので、衣服を傷めてその価値を低下させる恐れがなくなる。
また、ブローチを衣服に装着した後に、ブローチ保持金具を台座金具に対して回転させることによって、その取り付け角度を任意に調整することもできる。
【図面の簡単な説明】
【０００９】
【図１】この考案によるブローチクリップにブローチを取り付けた状態の一実施形態を示す側面図である。
【図２】この考案によるブローチクリップの一実施形態をおもて側から見た斜視図である。
【図３】同じくそのブローチクリップを裏側から見た斜視図である。
【図４】同じくそのブローチクリップの台座金具の平面図である。
【図５】同じくそのブローチクリップのブローチ保持金具の裏面図である。
【図６】ブローチ保持金具内に装着される波状のバネの拡大図である。
【図７】台座金具へのブローチ保持金具の軸止め工程を説明するための図である。
【考案を実施するための形態】
【００１０】
以下、この考案を実施するための形態を図面に基づいて説明する。
この考案によるブローチクリップの一実施形態の概要を図１〜図３によって説明する。
図１は、この考案によるブローチクリップにブローチを取り付けた状態の一実施形態を示す側面図である。図２は、そのブローチクリップの一実施形態をおもて側から見た斜視、図３は、そのブローチクリップを裏側から見た斜視図である。
【００１１】
ブローチクリップ１０は、裏面側にワニ口レバー１３を備えた細片状の台座金具１１と、その台座金具１１のおもて面側に取り付けられた細片状のブローチ保持金具１２とを備えている。そのブローチ保持金具１２は、長手方向の中央部を、軸アセンブリ１４によって、台座金具１１に対して相対回転並びに回転位置を保持可能に取り付けられている。
さらに、そのブローチ保持金具１２は、一端面から他端面へ長手方向に沿ってブローチ２０の留めピン２１を貫通させる透孔１２ａ（図２参照）を有する。その両端部は上面にもスリット溝を開口しており、ブローチの留めピン２１を挿入し易くしている。
【００１２】
台座金具１１の裏面側の一端部には、長手方向の中央方向に湾曲して立ち下がった軸受けアーム１５が一体に形成されており、その先端部が一対の軸受部１５ａになっている。その一対の軸受部１５ａに、ワニ口レバー１３の一対の軸支部１３ａを固着した軸１６を貫通させて回動可能に支持している。ワニ口レバー１３の軸支部１３ａから前方に延びる部分の両側部と前端部には、台座金具１１の裏面に対向する鋸歯状凹凸部１３ｂが形成され、軸支部１３ａから後方に延びる部分は指掛け部１３ｃとなる。
【００１３】
台座金具１１の裏面のワニ口レバー１３の鋸歯状凹凸部１３ｂと対向する側には、幅方向に平行な多数の滑り止め凹部１１ａが長手方向に並んで形成されている。
図２に示すように、軸１６にトーションバネ１７が嵌装されており、その一端がワニ口レバー１３の指掛け部１３ｃに係止され、他端が軸受けアーム１５に係止されており、このトーションバネ１７によって、ワニ口レバー１３を鋸歯状凹凸部１３ｂが台座金具１１の裏面に圧接する方向に回動力を付与している。
【００１４】
ブローチ２０の裏面には、図１に示すようにピン基部支持部２２とピン先端部係止保護部２３が間隔を置いて設けられている。そして、ピン基部支持部２２に留めピン２１の基部が回動可能に軸支されており、留めピン２１は先端部側がブローチ２０の裏面から離れたり近づいたりする方向に回動可能である。
この実施形態のブローチ２０では、ピン先端部係止保護部２３として、下面側から留めピン２１の先端部を受け入れ可能なスリットが形成されており、回動によってそのスリットの入口を開閉するシャッタ部材２３ａを備えたものを設けている。
【００１５】
そのため、ブローチ２０の留めピン２１を少し開いて、ブローチクリップ１０のブローチ保持金具１２の透孔１２ａに挿入して貫通させ、その留めピン２０の先端部をピン先端部係止保護部２３のスリット内に挿入した後、シャッタ部材２３ａを回動させてスリットの入り口を閉じれば、ブローチ２０がブローチクリップ１０に図１に示す状態で保持される。この状態では、留めピン２０の先端部はピン先端部係止保護部２３内に係止されているので、抜ける恐れはなく、しかもピン先が露出していないので安全である。
【００１６】
しかし、ピン先端部係止保護部の構造はこれに限るものではなく、ピン先の延びる方向に対して傾倒可能な保護カバーによって、ピン先端部を係止保護するものや、スリットを有する保護筒を直進移動させて、ピン先端部を係止保護するもの等でもよい。簡易な構造としては、ピンの先端部をフックで係止するだけのものでもよい。
また、この実施形態のブローチクリップ１０は、図２に示すように、台座金具１１及びブローチ保持金具１２のおもて面に、それぞれ長手方向に延びる３本の装飾溝１１ｂ、１２ｂが幅方向一定間隔で形成されているが、これは装飾的なものであるから任意である。
【００１７】
さらに、図４に示すように、台座金具１１の中央部には軸孔１１ｃが設けられ、その周囲のリング状の領域に、放射状の凹凸を形成したギア部１１ｄが設けられている。
一方、ブローチ保持金具１２には、図５に示すように、その裏面側の長手方向の両端部間の内部に、両端部の透孔１２ａと一体の空洞又は溝１２ｃが形成され、その空洞又は溝１２ｃ内に波状のバネ１８を装着し、貫通されるブローチ２０の留めピン２１をそのバネによって内側壁面に押付けるように構成する。
【００１８】
このようにすれば、留めピン２１をブローチ保持金具１２に挿入する際に適度な抵抗感があり、挿入後にガタついたり、自由に回転したりすることがなく、安定して保持できる。
波状のバネ１８の強さは、留めピン２１が適度な力で通るように調整する。
図６はその波状のバネ１８の拡大図である。この波状のバネ１８は、例えばφ０．６ｍｍの洋白線をロールで０．４ｍｍ厚に引いたものを、専用治具を用いて曲げて２５ｍｍ程度にカットして、ブローチ保持金具１２の空洞又は溝１２ｂ内に嵌め込む。その波状のバネ１８の両端を、ブローチ保持金具１２の両端部に形成したバネ係止溝１２ｄに挿入して係止させる。
【００１９】
ブローチ保持金具１２に裏面の中央部は円形のくぼみが形成されており、そこに軸１４ａの一端を固着した円板状の座金１４ｂを瞬間接着材で接着しており、その座金１４ｂの表面における軸１４ａの周囲のリング状の領域に、放射状の凹凸を形成したギア部１４ｄが形成されている。軸１４ａの先端部における外周の対向する位置に、径方向に突出する小突起１４ｃを設けている。
【００２０】
ここで、台座金具１１にブローチ保持金具１２を、相対回転並びに回転位置を保持可能に取り付ける軸止め工程を、図７によって説明する。
図７（ａ）に示すように、台座金具１１の裏面には中央部に方形のくぼみ１１ｅが形成されており、その中心部に軸孔１１ｆが設けられている。
そして、図７（ｂ）に示すように、台座金具１１のおもて面（この図では下側の面）に、ブローチ保持金具１２の裏面を重ねて、軸１４ａを、台座金具１１の軸孔に挿入する。
そして、台座金具１１の裏面側に突出した軸１４ａに、図示を省略したシリコンチューブを被せる。そのシリコンチューブは、自由状態では軸１４ａの長さより長くなっている。
【００２１】
その後、図７（ｃ）に示すように、軸１４ａの先端部に、シリコンチューブを圧縮しながらキャップ１４ｅを被せて留める。
キャップ１４ｅは有底ドーム形で、その底面に軸１４ａの先端部と一対の小突起１４ｃを通過させる開口が形成されている。このキャップ１４ｅによってシリコンチューブを圧縮しながら、軸１４ａの先端部と小突起１４ｃを開口内へ挿入させた後、約９０度回転させると抜け留め状態になり、シリコンチューブの弾性復元力によって、ブローチ保持金具１２を台座金具１１に押付ける力が発生する。
【００２２】
それによって、台座金具の表面のギア部１１ｄとブローチ保持金具１２の裏面の軸アセンブリの座金１４ｂに形成されたギア部１４ｄとが噛み合う。
この一対の小突起１４ｃを設けた軸１４ａと、ギア部１４ｄを形成した座金１４ｂと、シリコンチューブ及びキャップ１４ｅとによって、軸アセンブリ１４を構成している。
その軸アセンブリ１４と、台座金具１１のギア部１１ｄとによって、台座金具１１とブローチ保持金具１２との互いに接触する面に沿った方向への相対回転をクリック止めする機構を構成しており、ブローチ保持金具１２を回転させる際にクリック感が得られ、ブローチ２０を所望の回転位置で保持可能になる。
【００２３】
シリコンチューブのサイズは、例えば外形φ４．０ｍｍ、内径φ２．０ｍｍのシリコンゴム製のチューブを、長さ２．３ｍｍにカットして使用する。
図７では、軸アセンブリ１４を見易くするために、台座金具１１にワニ口レバー１３が装着されていないが、実際にはワニ口レバー１３を装着した台座金具１１に、特殊な工具を使用して、軸アセンブリ１４を構成しながらブローチ保持金具１２を組み付ける。
【００２４】
このブローチクリップ１０を構成する台座金具１１、ブローチ保持金具１２、ワニ口レバー１３、及び軸アセンブリ１４のシリコンチューブを除く各部を、全て銀で作製し、電解研磨及び磁気バレルで仕上げ、台座金具１１とブローチ保持金具１２を組み付ける前に、ニッケル（Ｎｉ）めっき及びロジウム（Ｒｈ）めっきを行うとよい。これらの各部品を金（Ａｕ）合金など、他の金属で作製してもよい。
【００２５】
このブローチクリップ１０は、台座金具１１とワニ口レバー１３及びトーションバネ１７等によって、ワニ口クリップを構成している。
このブローチクリップ１０を使用すれば、ブローチ保持金具１２の透孔１２ａにブローチ２０の留めピン２１を挿入して貫通させ、その先端部をブローチ２０のピン先端部係止保護部２３に係止させれば、間単にブローチ２０を取り付けることができる。
【００２６】
そのブローチクリップ１０を、ワニ口レバー１３を開いて、衣服の襟や胸ポケット、縁部などに留めれば、ピンで生地に孔を開けることなくブローチを容易に装着することができ、衣服を傷める恐れがなくなる。したがって、貸衣装や高価な衣装等を試着するような場合にも、衣装を傷める心配なく種々のブローチを着けてみることができる。
また、ブローチの衣服への装着位置の変更や交換、あるいは取り付け角度の調整も簡単に行なうことができる。
【００２７】
以上、この考案の実施形態について説明してきたが、その実施形態の各部の具体的な構成、材質や寸法等は、そこに記載したものに限るものではない。
また、この考案は上述した実施形態に限定されるものではなく、実用新案登録請求の範囲の各請求項に記載された技術的特徴を有する以外は、何ら限定されるものではないことは言うまでもない。
さらに、以上説明してきた実施形態の構成は、適宜変更又は追加したり一部を削除してもよいことも勿論である。
【符号の説明】
【００２８】
１０：ブローチクリップ    １１：台座金具    １１ａ：滑り止め凹部    
１１ｂ：装飾溝    １１ｃ：軸孔    １１ｄ：ギア部    １１ｅ：方形のくぼみ
１１ｆ：軸孔    １２：ブローチ保持金具    １２ａ：透孔    １２ｂ：装飾溝    
１２ｃ：空洞（又は溝）    １２ｄ：バネ係止溝    １３：ワニ口レバー    
１３ａ：軸支部    １３ｂ：鋸歯状凹凸部    １３ｃ：指掛け部    
１４：軸アセンブリ    １４ａ：軸    １４ｂ：座金    １４ｃ：小突起    
１４ｄ：ギア部    １４ｅ：キャップ    １５：軸受けアーム    １５ａ：軸受部    
１６：軸    １７：トーションバネ    １８：波状のバネ
２０：ブローチ    ２１：留めピン    ２２：ピン基部支持部    
２３：ピン先端部係止保護部    ２３ａ：シャッタ部材
【図１】
0003196546.tif 000003
【図２】
0003196546.tif 000004
【図３】
0003196546.tif 000005
【図４】
0003196546.tif 000006
【図５】
0003196546.tif 000007
【図６】
0003196546.tif 000008
【図７】
0003196546.tif 000009